(57)【要約】【課題】コストを抑えつつ、落下時に送信窓が外れることの無いリモコンおよび、リモコンの送信窓固定構造を提供する。【解決手段】上ケース２２と下ケース２８の嵌合で形成される筐体を有し、上ケース２２と下ケース２８との噛み合わせ構造で赤外線信号を透過する送信窓２６を固定する。そして送信窓２６は、その内面から内方に略垂直に向かうひれ構造２６ｃ、２６ｄを備え、上下いずれかのケースとリモコン２０の内部に備えられる制御基板２４とでひれ構造２６ｃ、２６ｄを押圧挟持する。【選択図】図３
2008022346.tif 000002
【特許請求の範囲】
【請求項１】
上ケースと下ケースの嵌合で筐体を形成し、同上ケースと同下ケースの合わせ面に形成される所定の開口にリモコン信号の送信窓が固定されるリモコンにおいて、
上記上ケースと上記下ケースとにはそれぞれに形成された切り欠きが同上ケースと同下ケースとの嵌合時に上記所定の開口を形成し、同上ケースの前方内側の端に沿う溝が形成されるとともに同下ケースの下面から左右両側面にかけて前方内側の端に沿う溝が形成され、同下ケースの溝に隣接した左右側面の内面には、台座面が同下ケース面と略平行の台座が形成され、
基板面が上記上ケースの上面と略平行になるように上記筐体の内部に配置されつつ、基板面の上記送信窓に近い部分の左右両側が送信窓のひれ構造の上に重なる位置まで延びておりかつ、基板面の前方端部には所定の間隔を空けて２つの赤外線ＬＥＤが発光面を前方に向けて配置されて上記送信窓を介して赤外線信号を前方に送出可能な制御基板と、
上記上ケースと上記下ケースとの嵌合時に上記所定の開口に合わせてはめ込まれる送信窓と、
を有するとともに、
上記送信窓は、
上側が略直線状で、かつ下側から両側にかけて下に凸の緩やかな曲線を描いて上側に接続する面を持つ窓面と、
上記送信窓の上端面に左右方向に線状に形成されて上記上ケースの溝と係合する下線状突起と、
上記送信窓の下端面から両側端面にかけて線状に形成されて上記下ケースの溝と係合する上線状突起と
上記送信窓の内面の左右端部から内方に略垂直かつ、上記下ケースの下面と略平行に形成され、前後方向長さが制御基板と部分的に重なり合う長さとされて上記下ケースと上記制御基板とで押圧教示される第一のひれおよび第二のひれと、
上記第一のひれおよび上記第二のひれの各々の上記下ケースに面する側に突起として形成され、リモコン組立時には上記台座に係止されて上記送信窓が上記下ケースから外れないように係止する機能を持つ係止構造と、
上記送信窓の内面の中央部から内方に略垂直かつ、上記下ケースの下面と略平行の面として延出され、上記第一のひれおよび第二のひれと比して短く形成されて上記制御基板とは干渉しない第三のひれと、
第三のひれの面上に孔として形成され、上記上ケースの対応する位置に形成される突起と係合して上記上ケースを上記下ケースに対して嵌合する際に位置決め孔と、
具備することを特徴とするリモコン。
【請求項２】
上ケースと下ケースの嵌合で筐体を形成し、同上ケースと同下ケースの合わせ面に形成される所定の開口にリモコン信号の送信窓が固定されるリモコンの送信窓固定構造において、
上記送信窓は、同送信窓の内面から内方に略垂直かつ、上下いずれかのケースの面と略平行に延びるひれ構造を備え、
上下いずれかのケースと上記リモコンの内部に備えられる制御基板とで上記ひれ構造を押圧挟持する
ことを特徴とするリモコンの送信窓固定構造。
【請求項３】
上記ひれ構造は、上記送信窓の左右端部に各々１つずつ形成される
ことを特徴とする上記請求項２に記載のリモコンの送信窓固定構造。
【請求項４】
上記ひれ構造は、上記制御基板の非パターン形成部位にて押圧挟持される
ことを特徴とする上記請求項２または請求項３に記載のリモコンの送信窓固定構造。
【請求項５】
上記上下いずれかのケースには、突起が形成され、
上記送信窓には、上記突起と係合して上記送信窓が外方に外れないよう係止する係止構造が形成される
ことを特徴とする上記請求項２〜請求項４のいずれかに記載のリモコンの送信窓固定構造。
【請求項６】
上記係止構造は、上記ひれ構造に形成されることを特徴とする上記請求項５に記載のリモコンの送信窓固定構造。
【発明の詳細な説明】
【技術分野】
【０００１】
本発明は、リモコンおよび、リモコン信号の送信窓をリモコンに対して固定する送信窓固定構造に関する。
【背景技術】
【０００２】
無線信号（主に赤外線信号）で電気電子機器を遠隔操作するリモコンには、ＬＥＤなどの発光部材が外部に露出して外観を損うことがないように、発光部材を内部に収容しつつ無線信号を透過させる送信窓が取り付けられることがある。この送信窓は、ビス止め、ケースに対する融着、上下ケースによる挟み込み、などの方法で固定されていた。
【０００３】
図５に、従来の、上下ケースによる挟み込みによる送信窓取り付け（固定）の一例を示す。同図において、上ケース１と下ケース４の噛み合わせ部分の所定位置に所定の開口を形成し、上ケース１と下ケース４のそれぞれに端に沿って溝を形成する。一方、送信窓３のエッジ部分にはエッジに沿ってレール状（線状）の突起３ａ，３ｂを形成する。そして、上ケース１および下ケース４の溝と突起３ａ，３ｂとを係合させて送信窓３を所定の開口に固定する。
【０００４】
また、これ以外にも、リモコンの送信窓をケースに固定する構造として以下のものが知られている。
まず特許文献１には、キャップ（送信窓、透光カバー）を筒体（ケース）に対して嵌合固定したリモコンのケーシング構造について記載されている。
次に特許文献２には、カバー（上ケース）の上部に、超音波融着によって信号送出窓（送信窓）が固着する技術について記載されている。
そして特許文献３には、放射用開口（所定の開口）に赤外光が透過する透光体が設けられており、当該特許文献３の図には、放射用開口の端に溝が形成されており、この溝に透光体を嵌合して保持する構造が記載されている。
【特許文献１】実開昭６１−１８１４７０
【特許文献２】特開平４−２９１８９８
【特許文献３】特開平８−１９５９９２
【発明の開示】
【発明が解決しようとする課題】
【０００５】
しかしながら、従来の上下ケースによる挟み込みによる送信窓取り付けでは、落下時にケースが外方に反ることがあり、送信窓が外れてしまうという不具合があった。また、融着やビス止めでは作業工程が増える上、コストアップが避けられなかった。また、ビス止め自体不可能な構造も存在する。
【０００６】
本発明は、上記課題に鑑みてなされたもので、コストを抑えつつ、落下時に送信窓が外れることの無いリモコンおよび、リモコンの送信窓固定構造の提供を目的とする。
【課題を解決するための手段】
【０００７】
上記課題を解決するために、本発明にかかるリモコンでは、上ケースと下ケースの嵌合で筐体を形成し、同上ケースと同下ケースの合わせ面に形成される所定の開口にリモコン信号の送信窓が固定されるリモコンにおいて、上記上ケースと上記下ケースとにはそれぞれに形成された切り欠きが同上ケースと同下ケースとの嵌合時に上記所定の開口を形成し、同上ケースの前方内側の端に沿う溝が形成されるとともに同下ケースの下面から左右両側面にかけて前方内側の端に沿う溝が形成され、同下ケースの溝に隣接した左右側面の内面には、台座面が同下ケース面と略平行の台座が形成され、基板面が上記上ケースの上面と略平行になるように上記筐体の内部に配置されつつ、基板面の上記送信窓に近い部分の左右両側が送信窓のひれ構造の上に重なる位置まで延びておりかつ、基板面の前方端部には所定の間隔を空けて２つの赤外線ＬＥＤが発光面を前方に向けて配置されて上記送信窓を介して赤外線信号を前方に送出可能な制御基板と、上記上ケースと上記下ケースとの嵌合時に上記所定の開口に合わせてはめ込まれる送信窓と、を有するとともに、上記送信窓は、上側が略直線状で、かつ下側から両側にかけて下に凸の緩やかな曲線を描いて上側に接続する面を持つ窓面と、上記送信窓の上端面に左右方向に線状に形成されて上記上ケースの溝と係合する下線状突起と、上記送信窓の下端面から両側端面にかけて線状に形成されて上記下ケースの溝と係合する上線状突起と上記送信窓の内面の左右端部から内方に略垂直かつ、上記下ケースの下面と略平行に形成され、前後方向長さが制御基板と部分的に重なり合う長さとされて上記下ケースと上記制御基板とで押圧教示される第一のひれおよび第二のひれと、上記第一のひれおよび上記第二のひれの各々の上記下ケースに面する側に突起として形成され、リモコン組立時には上記台座に係止されて上記送信窓が上記下ケースから外れないように係止する機能を持つ係止構造と、上記送信窓の内面の中央部から内方に略垂直かつ、上記下ケースの下面と略平行の面として延出され、上記第一のひれおよび第二のひれと比して短く形成されて上記制御基板とは干渉しない第三のひれと、第三のひれの面上に孔として形成され、上記上ケースの対応する位置に形成される突起と係合して上記上ケースを上記下ケースに対して嵌合する際に位置決め孔と、具備する構成としてある。
【０００８】
また、上記目的を達成するために、リモコンの送信窓固定構造の第一の構成例として、上ケースと下ケースの嵌合で筐体を形成し、同上ケースと同下ケースの合わせ面に形成される所定の開口にリモコン信号の送信窓が固定されるリモコンの送信窓固定構造において、上記送信窓は、同送信窓の内面から内方に略垂直かつ、上下いずれかのケースの面と略平行に延びるひれ構造を備え、上下いずれかのケースと上記リモコンの内部に備えられる制御基板とで上記ひれ構造を押圧挟持する構成としてある。
すなわち、上ケースおよび下ケースに対する噛み合わせ構造で送信窓をリモコンの筐体に対して固定するとともに、内部でひれ構造を制御基板により押圧挟持する。これにより、リモコン落下時などに下ケースと上ケースのいずれか外方に反りやすい（内部にリブなどの補強が少ない）ケースがあっても、外方に反りにくいケースの側と制御基板とでひれ構造を挟み込むことで、外方に反りにくいケースとの噛み合わせが外れにくくなり、送信窓の固定力が向上する。
【０００９】
そして、上記ひれ構造の形成位置は、上記送信窓の左右端部に各々１つずつ形成される構成とすると好適である。すなわち、制御基板は一般に外縁部に比べて中央部の方がパターン形成や部品配置が多くなる（密になる、集中する）傾向がある。本発明では、ひれ構造を制御基板で抑えるため、パターン部分や部品の配置される部分でひれ構造を押さえるのは好ましくない。したがって、左右端部で制御基板を抑えることにすると、制御基板の設計の自由度を向上させるとともに、ひれ構造を押圧挟持することで制御基板の動作不良を招く恐れも無くなる。すなわち、ひれ構造の形成位置を上記送信窓の左右端部にすることは、とりもなおさず、上記ひれ構造は上記基板の非パターン形成部位にて押圧挟持されることに通ずる。
【００１０】
さらに、上記上下いずれかのケースには突起が形成され、上記送信窓には上記突起と係合して上記送信窓が外方に外れないよう係止する係止構造が形成されると、送信窓の外れを防止するために好適である。
すなわち、制御基板との間で上記ひれ構造を押圧挟持する側のケースに突起を形成し、この突起と係止構造が係合することにより上記送信窓が外方に外れないように係止する。この係止構造は、たとえばひれ構造のケースに面する側に突起として形成し、同時にケース面からも対応する位置に突起を形成するとさらに好適である。このときひれ構造の突起とケース面の突起とでは、ケース面の突起の方が送信窓の窓面に近い側に形成され、ひれ構造の突起はケース面の突起と隣接するように窓面から遠い側に形成される。また、係止構造がひれ構造に形成される場合は、上記制御基板による押圧挟持と合わせて使用すると、上記制御基板の押圧挟持が係止構造の係止外れを防止するため、さらに強固に送信窓を固定することが可能となる。
【発明の効果】
【００１１】
以上説明したように本発明によれば、コストを抑えつつ、筐体に対する送信窓の固定力を向上させて、リモコン落下時に送信窓が外れることの無い送信窓固定構造を提供することができる。
また請求項３および請求項４にかかる発明によれば、リモコンの制御基板の設計の自由度を向上させるとともに、制御基板の動作不良を招く恐れの無い送信窓固定構造を提供できる。
さらに請求項５および請求項６にかかる発明によれば、より強固に送信窓を筐体に対して固定することの可能なリモコンの送信窓固定構造を提供することが可能となる。
さらに請求項１のような、より具体的な構成において、上述した請求項２〜請求項６の各発明と同様の作用を奏することはいうまでもない。
【発明を実施するための最良の形態】
【００１２】
以下、下記の順序に従って本発明の実施形態を説明する。
（１）リモコンの構造：
（２）リモコン送信窓の構造およびリモコンの送信窓固定構造：
（３）まとめ：
【００１３】
（１）リモコンの構造： 
以下、図１〜４を参照して、本発明のリモコンの送信窓固定構造について、この構造を適用して具体化したリモコンを例にとって説明する。図１には本発明の実施形態にかかるリモコンの分解斜視図、図２には送信窓を下ケースに配置した状態の部分斜視図、図３は送信窓と制御基板とを下ケースに配置した状態の部分斜視図、図４はリモコンを図１の左右方向略中央にて前後上下方向に切断して送信窓付近を示した部分断面図である。
【００１４】
このリモコン２０は、少なくとも、上ケース２２と下ケース２８の嵌合で形成される筐体を有し、上ケース２２と下ケース２８との噛み合わせ構造で赤外線信号（リモコン信号）を透過する送信窓２６を固定する。そして送信窓２６は、その内面から内方に略垂直に向かうひれ構造２６ｃ、２６ｄを備え、上下いずれかのケース（図２では下ケース２８）とリモコン２０の内部に備えられる制御基板２４とでひれ構造２６ｃ、２６ｄを押圧挟持する。
【００１５】
具体的には、リモコン２０は、上ケース２２と下ケース２８と制御基板２４と送信窓２６とから構成される。下ケース２８の左右端部に係止爪が形成され、上ケース２２の左右端部に係止穴が形成され、係止爪と係止孔とが係合することによりリモコン２０の筐体を形成する。さらに、この筐体は前側面の上ケース２２と下ケース２８の嵌合により形成される所定の開口を有し、この所定の開口に送信窓２６が嵌合保持される。すなわち、所定の開口は、上ケース２２もしくは下ケース２８単体であればそれぞれ切り欠き部分として形成されている。また、筐体内部には、筐体の上下面と略平行に制御基板２４が配置され、赤外線発光ダイオード２４ｂ（ＩＲ−ＬＥＤもしくは赤外線ＬＥＤ）の発光面を前方の所定の開口に向けている。
【００１６】
上ケース２２は、前後方向に長い略矩形の平板状であり、後方で略垂直下方に屈曲している。下ケース２８と嵌合して形成する所定の開口には、前方内側の端に沿って溝２２ａが形成され、送信窓２６の上端面に形成される線状突起と係合して、送信窓２６が筐体から外れないように保持する。さらに、上ケース２２の面には、制御基板２４上のスイッチパターンと対応した位置に上下に貫通する孔が形成される。また、制御基板２４と上ケース２２との間には、図示しない樹脂製のボタンシート（所定位置に盛り上がりを有する平面状の樹脂シート）が配置され、ボタン部分が上ケース２２の孔から上面に突出し、ユーザが押圧操作可能となっている。ユーザが押圧操作すると、ボタンシート下面が制御基板２４上のスイッチパターンに接触し、同スイッチパターンを導通させ、ユーザの押圧操作を電気信号に変換する。また、上ケース２２の前方内側端部であって溝２２ａの後方側（内側）に、下方向けて突起が形成され、後述する送信窓２６に形成される孔と係合することにより、下ケース２８への上ケース２２嵌合時に位置決めとして機能する。
【００１７】
下ケース２８は、前後方向に長い略矩形であり、左右側面が上方に屈曲して断面（上下左右面による断面）略コ字型となっている。そして、上ケース２２と嵌合して形成する所定の開口には、下面から左右両側面にかけて前方内側の端に沿って溝２８ａが形成される。この溝２８ａは、送信窓２６の下端面から側端面にかけて形成される線状突起と係合して、送信窓２６が筐体から外れないように保持する。さらに、この溝２８ａに隣接した下面の内面中央部には、この溝２８ａに係合する送信窓２６の内方倒れ防止のための支えリブ２８ｃが、下ケース２８の側面と略平行の板状に２つ形成されている。また、この溝２８ａに隣接した左右側面の内面には、台座面が下ケース２８面（もしくは上ケース２２面）と略平行の台座２８ｂ、２８ｃが形成され、送信窓２６のひれ構造２６ｃ、２６ｄを戴置して送信窓２６の内方倒れを防止している。さらに後方には、制御基板２４を駆動する電源となる電池を収納する電池ボックス部が形設されている。
【００１８】
制御基板２４は、基板面が上ケース２２の上面（もしくは下ケース２８の下面）と略平行になるように筐体内部に配置される。そして基板面の前方端部に、所定の間隔を空けて２つの赤外線ＬＥＤ２４ｂ（発光ダイオード）が発光面を前方に向けて配置され、送信窓２６を介して赤外線信号を前方に送出可能になっている。また、基板の上面には上ケース２２に形成される孔に対応する位置にスイッチパターンが形成され、ボタンシートを介してスイッチパターンに加えられる押圧操作に対応してスイッチパターンが短絡され、短絡されたスイッチパターンに対応する赤外線信号が赤外線ＬＥＤ２４ｂから送出される。そして、制御基板２４は、前方部分（送信窓２６に近い部分）の左右両側が、送信窓２６のひれ構造２６ｃ、２６ｄの上に重なる位置まで延びている。
【００１９】
（２）リモコン送信窓の構造およびリモコンの送信窓固定構造： 
次に、送信窓２６の構造を詳細に説明し、どのように送信窓２６が固定されるかを説明する。
まず、送信窓２６は、窓面２６ｊと、下線状突起２６ｂと、第一のひれ２６ｃと、第二のひれ２６ｄと、第一および第二のひれ２６ｃ、２６ｄに形成される突起２６ｅ，２６ｆとしての係止構造と、第三のひれ２６ｇと、第三のひれ２６ｇに形成される位置決め孔２６ｈ，２６ｉと、から構成される。
【００２０】
窓面２６ｊは、上側が略直線状で、かつ下側から両側にかけて下に凸の緩やかな曲線を描いて上側に接続する面を持ち、この窓面２６ｊの素材は赤外光（リモコン２０に採用されている無線通信媒体）を透過可能な材料である。
【００２１】
下線状突起２６ｂは送信窓２６の上端面に左右方向に線状に形成され、上線状突起は送信窓２６の下端面から両側端面にかけて線状に形成される。つまり、断面凸型のレール状の突起が、上端面においては左端から右端まで連続して形成され、下端面においては右端面の上端付近から左端面の上端付近まで下端面を経由して連続して形成される。
【００２２】
第一のひれ２６ｃおよび第二のひれ２６ｄは、送信窓２６の内面（図１では後面）の左右端部から内方（図１では後方）に略垂直かつ、下ケース２８の下面（もしくは上ケース２２の面）と略平行に延びる（向かう）ように形成される。この第一のひれ２６ｃと第二のひれ２６ｄがひれ構造２６ｃ、２６ｄを構成する。これら第一および第二のひれ２６ｄの上面は、制御基板２４がリモコン２０内に配置されたときに、同制御基板２４の下面と略同一平面内にがくるように形成される。そして、これら第一のおよび第二のひれ２６ｄの前後方向長さは、制御基板２４と部分的に重なり合う長さとされる。
【００２３】
係止構造は、ひれ構造（第一のひれ２６ｃおよび第二のひれ２６ｄの各々）の下面（下ケース２８に面する側）に突起２６ｅ，２６ｆとして形成される。そして、リモコン２０組立時には、下ケース２８に形成される台座２８ｂ、２８ｃに係止されて送信窓２６が下ケース２８から外れないように係止する機能を持つ。
【００２４】
第三のひれ２６ｇは、送信窓２６の内面の中央部から内方に略垂直かつ、下ケース２８の下面と略平行の面として延出される。ただし、この第三のひれ２６ｇは、第一のひれ２６ｃおよび第二のひれ２６ｄと比して、短く形成され、制御基板２４とは干渉しない（重なり合わない）。あるいは、制御基板２４の中央部が短く形成されるため第三のひれ２６ｇと干渉しない。いずれにしても制御基板２４と第三のひれ２６ｇとが、重なり合って干渉することがないように形成される。
【００２５】
第三のひれ２６ｇの面上には、位置決め孔２６ｈ，２６ｉ（もしくは凹み）が形成され、上ケース２２の対応する位置に形成される突起と係合して、上ケース２２を下ケース２８に対して嵌合する際に位置決めとして作用する。
【００２６】
送信窓２６は以上の要素により構成されるが、第一のひれ２６ｃと第二のひれ２６ｄと第三のひれ２６ｇのそれぞれの形成位置は、制御基板２４の赤外線ＬＥＤ２４ｂ位置と重複しない位置であれば適宜変更可能である。
【００２７】
以上の構造より、以下の作用を奏する。
まず、上ケース２２と下ケース２８とが嵌合して筐体を形成した時、上線状突起と上ケース２２の溝２２ａとが係合するとともに下線状突起２６ｂと下ケース２８の溝２８ａとが係合し、送信窓２６を筐体に対して挟持保持する。すると、送信窓２６の窓面２６ｊが赤外線ＬＥＤ２４ｂの発光面と相対し、赤外線ＬＥＤ２４ｂが窓面２６ｊを透過してリモコン２０の外部へと放射される。
【００２８】
次に、第一のひれ２６ｃと第二のひれ２６ｄは、制御基板２４の左右端と下ケース２８の台座２８ｂ、２８ｃとの間に位置し、制御基板２４の上にボタンシートが配置されるとともに、上ケース２２が下ケース２８と嵌合して下ケース２８下面のネジ孔から挿入されたネジが上ケース２２内面に立設されるネジボスに螺合されることにより、制御基板２４と台座２８ｂ、２８ｃとの間で挟持保持される。本実施例では、上ケース２２の内部にリブ等の補強構造が少ないため落下などの衝撃が加えられると上ケース２２前方（送信窓２６を挟持する側）が外方に反ってしまい、上線状突起と上ケース２２の溝２２ａとの係合が外れる事があるが、ひれ構造が制御基板２４と台座２８ｂ、２８ｃ（もしくは下ケース２８）との間に挟持保持されるため、送信窓２６が外れてしまうことはない。より具体的には、ひれ構造が制御基板２４により上方より保持されるため、下ケース２８の溝２８ａと下線状突起２６ｂの係合が外れることはなく、送信窓２６は上下左右から筐体に対して保持される。むろん、上ケース２２が外方に反るもののみならず、下ケース２８が外方に反るものであっても、ひれ構造を制御基板２４で上ケース２２に対して挟持保持することにより、本発明を適用可能であることは言うまでもない。
【００２９】
そして、係止構造としての突起２６ｅ，２６ｆは、下ケース２８の台座２８ｂ、２８ｃ後面に接触し、送信窓２６にかかる前方向応力に対して同送信窓２６を係止する。特に、ひれ構造が制御基板２４と台座２８ｂ、２８ｃとで挟持保持されていると、この突起２６ｅ，２６ｆと台座２８ｂ、２８ｃ後面の係止が抜けることが無く、係止力が有効にはたらく。よって上述したひれ構造の効果と相俟って送信窓２６を筐体（本実施例においては特に下ケース２８）に対して強固に保持することが可能となる。また、本実施例においては、係止構造がひれ構造の下面にそれぞれ形成される構成としたが、むろんひれ構造とは別体として形成されて下ケース２８のいずれかの部位に係止する構成としても、係止力が有効にはたらくこというまでもない。
【００３０】
さらに、第三のひれ２６ｇの面上に形成される位置決め孔２６ｈ，２６ｉは、下ケース２８の所定の位置に送信窓２６を載置しつつ同下ケース２８に上ケース２２を嵌合する際に、上ケース２２の突起をこの位置決め孔２６ｈ，２６ｉに挿通（係合）させることにより位置決めとして機能する。むろん、上ケース２２の突起長さを上ケース２２の溝２２ａ深さよりも長くすることにより、この突起に送信窓２６の外れ防止機能を持たせることも可能である。
【００３１】
（３）まとめ： 
つまり、上ケース２２と下ケース２８の嵌合で形成される筐体を有し、上ケース２２と下ケース２８との噛み合わせ構造で赤外線信号を透過する送信窓２６を固定する。そして送信窓２６は、その内面から内方に略垂直に向かうひれ構造２６ｃ、２６ｄを備え、上下いずれかのケースとリモコン２０の内部に備えられる制御基板２４とでひれ構造２６ｃ、２６ｄを押圧挟持する。
【００３２】
以上説明したように、本実施例に対応するリモコンの送信窓固定構造の第一の構成例として、上ケースと下ケースの嵌合で筐体を形成し、同上ケースと同下ケースの合わせ面に形成される所定の開口にリモコン信号の送信窓が固定されるリモコンの送信窓固定構造において、上記送信窓は、同送信窓の内面から内方に略垂直かつ、上下いずれかのケースの面と略平行に延びるひれ構造を備え、上下いずれかのケースと上記リモコンの内部に備えられる制御基板とで上記ひれ構造を押圧挟持する構成としてある。
すなわち、上ケースおよび下ケースに対する噛み合わせ構造で送信窓をリモコンの筐体に対して固定するとともに、内部でひれ構造を制御基板により押圧挟持する。これにより、リモコン落下時などに下ケースと上ケースのいずれか外方に反りやすい（内部にリブなどの補強が少ない）ケースがあっても、外方に反りにくいケースの側と制御基板とでひれ構造を挟み込むことで、外方に反りにくいケースとの噛み合わせが外れにくくなり、送信窓の固定力が向上する。
【００３３】
そして、上記ひれ構造の形成位置は、上記送信窓の左右端部に各々１つずつ形成される構成とすると好適である。すなわち、制御基板は一般に外縁部に比べて中央部の方がパターン形成や部品配置が多くなる（密になる、集中する）傾向がある。本発明では、ひれ構造を制御基板で抑えるため、パターン部分や部品の配置される部分でひれ構造を押さえるのは好ましくない。したがって、左右端部で制御基板を抑えることにすると、制御基板の設計の自由度を向上させるとともに、ひれ構造を押圧挟持することで制御基板の動作不良を招く恐れも無くなる。すなわち、ひれ構造の形成位置を上記送信窓の左右端部にすることは、とりもなおさず、上記ひれ構造は上記基板の非パターン形成部位にて押圧挟持されることに通ずる。
【００３４】
さらに、上記上下いずれかのケースには突起が形成され、上記送信窓には上記突起と係合して上記送信窓が外方に外れないよう係止する係止構造が形成されると、送信窓の外れを防止するために好適である。
すなわち、制御基板との間で上記ひれ構造を押圧挟持する側のケースに突起を形成し、この突起と係止構造が係合することにより上記送信窓が外方に外れないように係止する。この係止構造は、たとえばひれ構造のケースに面する側に突起として形成し、同時にケース面からも対応する位置に突起を形成するとさらに好適である。このときひれ構造の突起とケース面の突起とでは、ケース面の突起の方が送信窓の窓面に近い側に形成され、ひれ構造の突起はケース面の突起と隣接するように窓面から遠い側に形成される。また、係止構造がひれ構造に形成される場合は、上記制御基板による押圧挟持と合わせて使用すると、上記制御基板の押圧挟持が係止構造の係止外れを防止するため、さらに強固に送信窓を固定することが可能となる。
【００３５】
以上の構成をリモコンに適用した具体的構成例として、上ケースと下ケースの嵌合で筐体を形成し、同上ケースと同下ケースの合わせ面に形成される所定の開口にリモコン信号の送信窓が固定されるリモコンにおいて、上記上ケースと上記下ケースとにはそれぞれに形成された切り欠きが同上ケースと同下ケースとの嵌合時に上記所定の開口を形成し、同上ケースの前方内側の端に沿う溝が形成されるとともに同下ケースの下面から左右両側面にかけて前方内側の端に沿う溝が形成され、同下ケースの溝に隣接した左右側面の内面には、台座面が同下ケース面と略平行の台座が形成され、基板面が上記上ケースの上面と略平行になるように上記筐体の内部に配置されつつ、基板面の上記送信窓に近い部分の左右両側が送信窓のひれ構造の上に重なる位置まで延びておりかつ、基板面の前方端部には所定の間隔を空けて２つの赤外線ＬＥＤが発光面を前方に向けて配置されて上記送信窓を介して赤外線信号を前方に送出可能な制御基板と、上記上ケースと上記下ケースとの嵌合時に上記所定の開口に合わせてはめ込まれる送信窓と、を有するとともに、上記送信窓は、上側が略直線状で、かつ下側から両側にかけて下に凸の緩やかな曲線を描いて上側に接続する面を持つ窓面と、上記送信窓の上端面に左右方向に線状に形成されて上記上ケースの溝と係合する下線状突起と、上記送信窓の下端面から両側端面にかけて線状に形成されて上記下ケースの溝と係合する上線状突起と上記送信窓の内面の左右端部から内方に略垂直かつ、上記下ケースの下面と略平行に形成され、前後方向長さが制御基板と部分的に重なり合う長さとされて上記下ケースと上記制御基板とで押圧教示される第一のひれおよび第二のひれと、上記第一のひれおよび上記第二のひれの各々の上記下ケースに面する側に突起として形成され、リモコン組立時には上記台座に係止されて上記送信窓が上記下ケースから外れないように係止する機能を持つ係止構造と、上記送信窓の内面の中央部から内方に略垂直かつ、上記下ケースの下面と略平行の面として延出され、上記第一のひれおよび第二のひれと比して短く形成されて上記制御基板とは干渉しない第三のひれと、第三のひれの面上に孔として形成され、上記上ケースの対応する位置に形成される突起と係合して上記上ケースを上記下ケースに対して嵌合する際に位置決め孔と、具備する構成としてある。
【００３６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３７】
【図１】本発明の実施形態にかかるリモコンの分解斜視図である。
【図２】送信窓を下ケースに配置した状態の部分斜視図である。
【図３】送信窓と制御基板とを下ケースに配置した状態の部分斜視図である。
【図４】リモコンを図１の左右方向略中央にて前後上下方向に切断して送信窓付近を示した部分断面図である。
【図５】従来のリモコンの送信窓付近を示した部分斜視図である。
【符号の説明】
【００３８】
１…上ケース
２…従来の制御基板
３…従来の送信窓
３ａ…上線状突起
３ｂ…下線状突起
３ｃ…従来の第一のひれ
３ｄ…従来の第二のひれ
３ｅ…第三のひれ
４…従来の下ケース
２０…リモコン
２２…上ケース
２２ａ…溝
２４…制御基板
２４ａ、２４ｂ…赤外線ＬＥＤ
２６…送信窓
２６ａ…上線状突起
２６ｂ…下線状突起
２６ｃ…第一のひれ（ひれ構造）
２６ｄ…第二のひれ（ひれ構造）
２６ｅ、２６ｆ…突起（係止構造）
２６ｇ…第三のひれ
２６ｈ、２６ｉ…位置決め孔
２８…下ケース
２８ａ…溝
２８ｂ、２８ｃ…台座
２８ｄ…支えリブ
【図１】
2008022346.tif 000003
【図２】
2008022346.tif 000004
【図３】
2008022346.tif 000005
【図４】
2008022346.tif 000006
【図５】
2008022346.tif 000007